(57)【要約】      （修正有）【課題】チラシの付加価値を高め、より集客効果が得られる広告用チラシを提供する。【解決手段】懸賞ナンバー付チラシ６には懸賞ナンバー７ａを付与した懸賞ナンバー欄７と前記懸賞ナンバーによって当たる当選賞品等を紹介した当選賞品紹介欄８を設け、チラシを配布した加盟店の店舗の中にその懸賞の当選番号及び賞品一覧表を提示し、商品等の購入を条件としないで自由に店舗に出入りできるようにする。前記懸賞ナンバー付広告用チラシを作成する広告会社を本部として前記懸賞ナンバー付広告用チラシを利用して広告する店舗を加盟させて、加盟店にのみ前記懸賞ナンバー付広告用チラシを利用した広告を認める。【選択図】  図３
2004163845.tif 000002
【特許請求の範囲】
【請求項１】
チラシ等の広告物に懸賞ナンバーを付与した懸賞ナンバー欄と前記懸賞ナンバーによって当たる当選賞品等を紹介した当選賞品紹介欄を設けた懸賞ナンバー付チラシと、前記チラシを配布した加盟店の店舗の中にその懸賞の当選番号及び賞品一覧表を掲示し、商品等の購入を条件としないで自由に店舗に出入りできるようにすることで、より集客効果を高める懸賞ナンバー付広告用チラシ。
【請求項２】
請求項１の懸賞ナンバー付広告用チラシを作成する広告会社を本部として前記懸賞ナンバー付広告用チラシを利用して広告する店舗を加盟させて、加盟店にのみ前記懸賞ナンバー付広告用チラシを利用した広告を認めることで懸賞ナンバー付広告用チラシの付加価値を高める懸賞ナンバー付広告用チラシの広告システム。
【請求項３】
チラシ、ポケットティッシュ、封筒・ハガキ、クジ・カード等の新規に番号を付与した広告、ポイントカード、キャッシュカード、クレジットカード、メンバーカード等の既存の番号を持つ各種カード、運転免許証、お札、車のナンバー、電話番号、購入した商品に付いているバーコード等のナンバー、レシートのナンバー等を抽選の対象とすることができる抽選ボックスを有することを特徴とする懸賞ナンバー付広告用チラシの広告システム。
【請求項４】
生まれながらに誰もが一つずつ持つ生年月日を抽選の対象とすることができる抽選ボックスを有することを特徴とする懸賞ナンバー付広告用チラシの広告システム。
【請求項５】
抽選方法や有効ケタ数、抽選方法のタイプなどを表示するプレートを交換可能とした複数の枠を持ち、抽選場所やその周辺地域に立てる幟を有することを特徴とする懸賞ナンバー付広告用チラシの広告システム。
【請求項６】
店舗の広告、求人、お知らせ、商品ＰＲ、地域情報等を記載し、懸賞ナンバーの有効期限内に何度も見てもらうことのできるため一度の広告配布で数回分の広告配布と同様の効果を持つ懸賞ナンバー付広告用チラシを有することを特徴とする懸賞ナンバー付広告用チラシの広告システム。
【発明の詳細な説明】
【０００１】
【発明の属する技術分野】
本発明は、広告用のチラシにチラシの付加価値を高めるとともに顧客を誘客するために懸賞付きのナンバーを表示し、当該ナンバーのあるチラシを持参した者のナンバーが当選番号に該当した時に懸賞を貰うことが出来る懸賞ナンバー付広告用チラシ及びその広告システムに関する発明である。
【０００２】
【従来の技術】
従来の広告のために配布されている広告用チラシは、販売しようとする商品紹介、格安料金、サービス期間等を需要者に知らせることを主な目的で配布している。
【０００３】
【発明が解決しようとする課題】
しかしながら、上記のような需要者に商品紹介、格安料金、サービス期間等を知らしめることが主で、配布されている広告用のチラシ自体に付加価値がないとともに多数のチラシを配布してもチラシによる集客する効果は、所望の期待通りの効果は得られていない。
【０００４】
また、従来のようなチラシの配布による宣伝広告では、月に数度、週に１度というように頻繁に広告用のチラシを配布するとチラシ印刷代や広告折り込み料等の費用が高くつき広告宣伝費用が嵩んでしまうとの問題がある。
【０００５】
このように、高い費用をかけて広告チラシを配布したとしても、チラシを見た消費者がチラシのすみずみまで見るとは限らず、またチラシを見た全ての消費者が店舗の中まで入ってくるとは限らない。
【０００６】
そこで、本発明は、広告用のチラシに懸賞ナンバーを表示し当選賞品等を明記して、広告用チラシを配布した後に店舗の中にその懸賞の当選ナンバーを掲示することによって、従来の広告用チラシ以上にチラシの付加価値を高め、より集客効果が得られる広告用チラシを提供することを目的し、前記広告用チラシを作成する広告会社を本部として前記広告用チラシを利用し広告する店舗を加盟させてシステム化する広告システムを提供することを目的とするものである。
【０００７】
【課題を解決するための手段】
本発明である懸賞ナンバー付広告システムは、上記の課題を解決するために、チラシ等の広告物に懸賞ナンバーを付与した懸賞ナンバー欄と前記懸賞ナンバーによって当たる当選賞品等を紹介した当選賞品紹介欄を設けた懸賞ナンバー付チラシと、前記チラシを配布した加盟店の店舗の中にその懸賞の当選番号及び賞品一覧表を掲示し、商品等の購入を条件としないで自由に店舗に出入りできるようにすることで、より集客効果を高める懸賞ナンバー付広告用チラシの構成及び前記懸賞ナンバー付広告用チラシを作成する広告会社を本部として前記懸賞ナンバー付広告用チラシを利用して広告する店舗を加盟させて、加盟店にのみ前記懸賞ナンバー付広告用チラシを利用した広告を認めることで懸賞ナンバー付広告用チラシの付加価値を高める懸賞ナンバー付広告用チラシの広告システムの構成とした。
【０００８】
【実施例】
以下に、添付図面に基づき、本発明である懸賞ナンバー付広告用チラシ及びその広告システムについて詳細に説明する。図１は、本発明である懸賞ナンバー付広告システムの全体の流れを示す図である。
【０００９】
図１に示すよう、本発明である懸賞ナンバー付広告システム１は、本発明である懸賞ナンバー付広告システム１の権利者（特許権者）２、本部３である広告会社、加盟店４で構成されたシステムである。
【００１０】
本部３である広告会社は、懸賞ナンバー付広告用チラシを作成すると共に、懸賞ナンバー付広告システム１全体の管理を行う。
【００１１】
懸賞ナンバー付広告用チラシを用いて広告をしたい会社、店舗等は、本部３と加盟店契約３ａを締結し加盟店４となることで、懸賞ナンバー付広告用チラシを用いて店舗の商品の広告を行うことが可能となる。
【００１２】
加盟店４が懸賞ナンバー付広告用チラシを使用する場合には、前もって本部３に申請し、本部３からの承認（承認印・承認年月日等）を得てから、懸賞ナンバー付広告用チラシを作成し配布する。
【００１３】
ここで本部３は広告会社であるから、加盟店４は本部３に懸賞ナンバー付広告用チラシの使用を申請し、使用の許諾を得ると共に、懸賞ナンバー付広告用チラシの作成、印刷までを一括して行うことが可能となる。
【００１４】
図２は、本発明である懸賞ナンバー付広告用チラシ及びその広告システムの他のシステム全体の流れを示した図である。
【００１５】
図２に示すように、本発明である懸賞ナンバー付広告システム１ａでは、広告会社である本部３が、印刷会社等と代理店契約３ｂを締結することで代理店５を増加する。
【００１６】
前記代理店５が、懸賞ナンバー付広告用チラシ及びその広告システム１ａを利用する会社・店舗等と加盟店契約５ａを締結することで、加盟店４の増加、新規拡大を各代理店５、５、５、５が図ることができる。
【００１７】
図３は、本発明である懸賞ナンバー付広告用チラシ及びその広告システムに用いる懸賞ナンバー付広告用チラシを示した図である。図３に示すように、本発明である懸賞ナンバー付広告用チラシ及びその広告システム１の広告用チラシ６は、以下のような構成とすることが良い。勿論、広告用チラシ６の構成は、別の構成としてもよい。
【００１８】
「お客様へ感謝を込めた『得々特典付』ドリームチラシ《保存版》
このチラシはラッキーナンバー付チラシです。
あなたのラッキーナンバーは○○○○○です。
（ラッキーナンバー有効期限  平成  年  月  日迄）
ラッキーナンバー当選豪華賞品
１等…現金10,000円 1本  ２等…現金3,000円 2本  ３等…現金1,000円 3本
４等…現金  500円 4本  ５等…現金  300円 5本  毎月賞品総額22,500円 15本
お店の中にラッキーナンバー当選番号一覧表が掲示されております。当選されたお客様は無料で豪華賞品がもらえます。お気軽にご来店下さい。ラッキーナンバー当選番号は毎月変わりますので当月ハズレても来月にご期待下さい。
（注）当選月に申し出ないと当選は無効となります。電話等によるラッキーナンバー当選番号のお問い合わせはご遠慮下さい。
お店のオーナーの方へ得々情報。（売上アップ・経費削減のラッキーナンバー付広告用チラシシステムのご用命は○○○へお申込下さい。初回は『お試し価格』のため広告システム料は無料です。初回結果が良好の場合に２回目以降のご注文も受付致します。《ＴＥＬ  ○○○○○○  ＦＡＸ  ○○○○○○  Ｅメールホームページhttp://www.         》
尚、この広告システムの無断使用又は類似使用を硬くお断り致します。」
遊びのメニュー
【００１９】
このように、懸賞ナンバー付広告用チラシ及びその広告システム１の懸賞ナンバー付広告用チラシ６は、従来の広告用のチラシ同様に広告を掲載する広告欄６ａ、懸賞ナンバー７ａを付与した懸賞ナンバー欄７及び前記懸賞ナンバー７ａによって当たる賞品の内容及び数量を明記した当選賞品紹介欄８で構成されている。
【００２０】
懸賞ナンバー欄７には、懸賞ナンバー付広告用チラシであることをはっきりと明記した上で、懸賞ナンバー７ａを付与することにより懸賞ナンバー付の広告用チラシ６を手にした消費者の興味を引きつけることができ、消費者が加盟店４の広告用チラシ６に目を留め、加盟店４に押し寄せることとなる。
【００２１】
当選賞品紹介欄８に前記懸賞ナンバー７ａで当たる当選賞品及び当選数量を明記することで、広告用チラシ６を手にした消費者が当選への可能性を期待して加盟店４に殺到することが予想される。
【００２２】
当選賞品紹介欄８には、前記当選賞品の有効期限８ａ及び当選番号の電話での問い合わせを禁止する文言を記載する禁止文言記載欄８ｂを共に記載することで、消費者が来店する期限を設けること及び電話での問い合わせができないために、加盟店４に必ずこなければならなくなる。
【００２３】
懸賞ナンバー付の広告用チラシ６内に、当選番号は加盟店４内に掲示されていることで、広告用チラシ６を所有する消費者は加盟店４に自由に来店でき、当選賞品の獲得は商品等の購入が条件ではなく、来店し当選していれば無料で賞品を手に入れられることを明記することで、消費者は気軽な気持ちで加盟店４に来店しやすくなる。
【００２４】
当選賞品紹介欄８の最下欄には、「１日１０００円以上ご利用のお客様にラッキーナンバー付チラシ１枚プレゼント」との得々情報を記載しても良い。前記得々情報は、懸賞ナンバー付広告用チラシ６を配布していない地域の消費者や、懸賞ナンバー付広告用チラシ６を紛失した消費者、懸賞ナンバー付広告用チラシ６をもっと欲しいと希望する消費者の要望に対応するためのものである。前記得々情報は、消費者の要望に対応できると共に、売上増進にも繋がるために実施する。
【００２５】
当選賞品紹介欄８の下部には、懸賞ナンバー付広告用チラシ及びその広告システム１に関する問い合わせ・申し込み先やお試し価格等の情報を記載した、広告システム情報記載欄８ｃを設けることで、消費者に対する商品等の広告用チラシであると共に、店舗オーナー等に対する懸賞ナンバー付広告用チラシ及びその広告システム１の広告をするチラシとなる。
【００２６】
前記本発明である懸賞ナンバー付広告用チラシ及びその広告システム１の広告システム情報記載欄８ｃの下部には、加盟店４の内容を記載する加盟店広告欄６ｂを設け、懸賞ナンバー付の広告用チラシ６を配布した加盟店４の具体的な商品の構成、価格等の広告を記載する。
【００２７】
例えば、図３では「遊びのメニュー」として、パターゴルフゲームや輪投げ等、店舗で行っているゲームの種類や簡単な説明、料金等を記載する。勿論、広告欄６ｂの記載は、扱う商品・料金等を記載するなど、広告用チラシ６を配布した加盟店４に合わせて記載すればよい。
【００２８】
広告用チラシ６の最下欄となる加盟店広告欄６ｂの下部には、広告用チラシ６を配布した加盟店４の店舗名、住所、電話番号、営業時間、地図等を記載する、チラシ配布加盟店表示欄６ｃを設け、消費者が加盟店４に集客する効果を得るために加盟店４の情報を記載し、消費者が来店するようにすることが重要である。
【００２９】
広告用チラシ６に設けている広告欄６ａ、６ｂ、加盟店表示欄６ｃ、懸賞ナンバー欄７、懸賞ナンバー７ａ、当選賞品紹介欄８、有効期限８ａ、禁止文言記載欄８ｂ、広告システム情報記載欄８ｃ等は所定の位置に存在するが、必要に応じて広告用チラシ６内に設ける位置を変更してもよい。
【００３０】
図４は、本発明である懸賞ナンバー付広告用チラシ及びその広告システムの加盟店の店舗内に掲示する書面を示した図である。図３で示した懸賞ナンバー付広告用チラシ６を配布した加盟店４店舗は、店内に図４に示すように、懸賞ナンバー付広告用チラシ６の懸賞の当選番号及び当選賞品一覧表である店舗内掲示９を掲示する。
【００３１】
店舗内掲示９には、当選賞品９ａ及び当選番号９ｂが記載され、それと共に注意書き記載欄９ｃには注意書きが、更に得々情報９ｄが記載されている。この店舗内掲示９は、書面でも良いし、パソコンのモニターに表示してもよく、その他の手段により掲示してもよい。
【００３２】
このように、店舗内掲示９により当選番号を店舗内に掲示することで、図３に示した懸賞ナンバー付広告用チラシ６を手にした消費者は、懸賞の当選番号を確認するためにとりあえず加盟店４の店舗に来店する可能性が高くなる。そこから、入店した消費者の一部が若干でもその加盟店４の店舗の商品を買うという売上の二次効果が期待できる。
【００３３】
また、当選番号は月ごと若しくは週ごと等に変わることを懸賞ナンバー付広告用チラシ６及び加盟店の店舗内掲示９の注意書き記載欄９ｃに記載しておくことで、その月や週などにハズレた消費者も、翌月や翌週などには当選の可能性があるという期待を持たせることになり、翌月や翌週などに再度来店することを消費者に促すことが可能であるため、結果として店舗の集客効果の向上に繋がる。
【００３４】
さらに、懸賞ナンバー付広告用チラシ６に付与された懸賞ナンバー７ａの有効期限を数ヶ月に渡り有効とすることで、１枚のチラシで消費者が何回も来店する可能性もある。
【００３５】
消費者は、有効期限内はチラシを保管しているので、広告用チラシ６のすみずみまで目を通す機会を増やすこととなる。そのため、加盟店４である店舗がチラシを配布する頻度も数ヶ月に一度で十分な広告効果を得ることができる。
【００３６】
注意書き記載欄９ｃの下部に記載された「１日１０００円以上ご利用のお客様にラッキーナンバー付チラシ１枚プレゼント」との得々情報９ｄは、懸賞ナンバー付広告用チラシ６を配布していない地域の消費者や、懸賞ナンバー付広告用チラシ６を紛失した消費者、懸賞ナンバー付広告用チラシ６をもっと欲しいと希望する消費者の要望に対応するためのものである。前記得々情報９ｄは、消費者の要望に対応できると共に、売上増進にも繋がるために実施する。
【００３７】
懸賞に用いる懸賞ナンバーは、懸賞ナンバー付広告用チラシ６に付与した懸賞ナンバー７ａに限らず、記号や年齢等、当選の対象者を特定できるものであれば、様々タイプの懸賞ナンバーが考えられる。その場合には、懸賞ナンバー付チラシ６にそのタイプを明記する必要がある。
【００３８】
また、懸賞ナンバー付広告用チラシによる賞品の種類については、現金・商品券・景品・福引き券・自社商品・食料品等が考えられるが、景品表示法に触れない範囲とすることが必要である。
【００３９】
図５は、本発明である懸賞ナンバー付広告システムに用いる広告用チラシの他の実施例を示す図である。図３に示した懸賞ナンバー付広告用チラシ６は、チラシそのものに懸賞ナンバーを刷り込み付与したものであるが、本例のクジ付広告用チラシ１０は、前もってチラシそのものに懸賞ナンバーを付与しない。本例のクジ付広告用チラシ１０の構成は以下の通りである。
【００４０】
お客様へ感謝を込めた『得々特典付』ドリームチラシ《保存版》
誰でも引ける（当たる）！
買わなくても引ける（当たる）！
無料で引ける（当たる）！
ご来店者全員クジカード当選豪華賞品
１等…現金10,000円 1本  ２等…現金3,000円 2本  ３等…現金1,000円 3本
４等…現金  500円 4本  ５等…現金  300円 5本  毎月賞品総額22,500円 15本
お店に来店していただいたお客様全員に無料でクジを引いていただき、当選するとその場で豪華賞品がもらえます。
お店側からご来店者お１人様につき１枚「お客様全員クジカード」をお渡し致しますので、クジを引く前にご提示下さい。
尚、このクジカードはお１人様につき１枚となっておりますので、２枚以上を使った不正な行為は固くお断り致します。
お気軽にご来店下さい。お客様全員クジカード当選番号は毎月変わりますので当月ハズレても来月にご期待下さい。
お店のオーナーの方へ得々情報。（売上アップ・経費削減のラッキーナンバー付広告用チラシシステムのご用命は○○○へお申込下さい。初回は『お試し価格』のため広告システム料は無料です。初回結果が良好の場合に２回目以降のご注文も受付致します。《ＴＥＬ  ○○○○○○  ＦＡＸ  ○○○○○○  Ｅメールホームページhttp://www.          》
尚、この広告システムの無断使用又は類似使用を硬くお断り致します。
「遊びのメニュー」
【００４１】
図５に示したように、本例でのクジ付広告用チラシ１０は、広告欄１０ａと、特典紹介欄１１と、賞品紹介欄１１ａからなるチラシである。特典紹介欄１１には、消費者がクジ付広告用チラシ１０を持参し加盟店４に来店することでクジを引く権利を持つことを明記し、賞品紹介欄１１ａには、クジにより獲得できる当選賞品及び当選本数を記載する。
【００４２】
賞品紹介欄１１ａ内には、禁止文言記載欄１１ｂを設け、「クジカードを２枚以上使ってクジを引く等の不正行為等を禁止すること」、「クジカードの当選番号は毎月変わりますので当月はずれても来月にも使用できること」等を明記する。
【００４３】
賞品紹介欄１１ａの下方には、懸賞ナンバー付広告用チラシおよびその広告システム１に関する問い合わせ・申込先やお試し価格等の情報を記載した、広告システム情報記載欄１１ｃを設けることで、消費者に対する商品等の広告用チラシであると共に、加盟店４の店舗オーナー等に対する懸賞ナンバー付広告用チラシ及びその広告システム１の広告をするためのチラシとなる。
【００４４】
広告システムへの申込情報記載欄１１ｃの下部には、広告欄１０ｂを設け、広告用チラシ１０を配布した加盟店４の具体的な商品等の広告を記載する。広告欄１０ｂには、図５に示した形態に限らず、広告用チラシ１０を配布した加盟店４に合わせた広告を記載すればよい。
【００４５】
また、広告用チラシ１０の広告欄１０ｂの下部には、クジ付広告用チラシ１０を配布した加盟店４の店舗名、住所、電話番号、営業時間、地図等を記載したクジ付広告用チラシ配布の加盟店記載欄１０ｃを設け、消費者に向けた加盟店４の情報を記載する。
【００４６】
図５に示したクジ付広告用チラシ１０を持参し来店した消費者は、商品等の購入の有無に関わらず、加盟店４の店舗に来店すれば無料でクジを引くことができる。その際、１枚のクジ付広告用チラシ１０で何度もクジを引くなどの不正がないように、店舗で発行するのが図６に示したご来店者全員クジカードである。
【００４７】
図６は、来店者全員のクジカードを示した図である。加盟店４に来所された消費者が図５に示したクジ付広告用チラシ１０を持参して、加盟店４の店舗に来店すると、図６に示したご来店者全員クジカード１２が発行される。
【００４８】
ご来店者全員クジカード１２は、表面１２ａの左半分にはクジのルールや賞品、店名等が記載され、右半分は消費者が個人情報を記入する欄となっている。
【００４９】
ご来店者全員クジカード１２の背面１２ｂには、スタンプ欄１２ｃが設けられている。スタンプ欄１２ｃには、１枚のチラシで来店した消費者が何度もクジを引く等の不正がないように、その月にクジを引いたことを証明するスタンプ１３を押印する。
【００５０】
即ち、図５に示したクジ付広告用チラシ１０を持って来店した消費者に発行されたご来店者全員クジカード１２はクジ引きの引換券ともいえる。ご来店者全員クジカード１２を配布された消費者は、月に一度、来店時にクジを引くことができるので、毎月一度は店舗に来店する可能性が大きい。その結果、クジ付広告用チラシ１０を配布したことにより集客効果を得ることとなる。
【００５１】
また、来店された人全員にクジカード１２を発行せず、クジ付広告用チラシ１０と引き替えにクジを引いてもうらうという方法もとることができる。
【００５２】
クジ付広告用チラシ１０に設けている広告欄１０ａ、１０ｂ、加盟店記載欄１０ｃ、特典紹介欄１１、賞品紹介欄１１ａ、禁止文言記載欄１１ｂ、広告システム情報記載欄１１ｃ等はクジ付広告用チラシ１０内の所定の位置に存在するが、必要に応じて広告用チラシ６内に設ける位置を変更してもよい。
【００５３】
図７は、本発明である懸賞ナンバー付広告システム料金表である。先に説明したように、図３〜図６に示した懸賞ナンバー付広告用チラシ６、クジ付広告用チラシ１０等のチラシを配布できるのは、本部３又は代理店５と契約を締結した加盟店４のみである。
【００５４】
加盟店４は本部３の許可を得て、システムを使用し懸賞ナンバー付広告用チラシ６あるいはクジ付広告用チラシ１０等のチラシを作成・配布するのであるが、本部３又は代理店５は広告会社あるいは印刷会社である。
【００５５】
従って、本部３又は代理店５にチラシの作成を依頼することができる。その際に加盟店４が支払うシステム使用料を示した表が図７の懸賞ナンバー付広告用チラシシステム料金表１４である。
【００５６】
図７の懸賞ナンバー付広告用チラシシステム料金表１４に示したように、システム使用の基本料１４ａは１度に作成する広告用チラシの枚数が多ければ多いほど、チラシ１枚当たりの単価が安くなるよう設定されている。
【００５７】
本部にシステム使用の申請を行う時点で、懸賞ナンバー付広告用チラシに付与する懸賞ナンバーの有効期限を設定する必要が有るため、前記有効期限１４ｂにより、１枚当たりの単価に追加単価が加算される。即ち、有効期限を長く設定すれば追加単価は増額する。
【００５８】
また、懸賞ナンバー付広告用チラシ６の懸賞ナンバーによる当選発表の回数により、集客効果に影響があることを考慮し、当選発表回数１４ｃにより、システム単価が割増となる。即ち、当選発表回数１４ｃが、月間の中で多ければ多いほど、システム単価の割増倍率が高くなる。
【００５９】
さらに、店舗集団一括使用１４ｄは、本来当選番号ワンセットに対して店舗は１つであるとの考え方が基本であるが、当選番号ワンセットに対し、店舗を集団で一括使用することも可能であるが、この場合には単価が割増となる。例としては、チェーン店や合同商店街等が集団で同一当選番号とする場合に、一括で使用する店舗数により割増倍率が設定されている。
【００６０】
システム使用料には、割引サービスも設定されている。月間配布回数割引１４ｅは、１ヶ月間に何度のチラシを配布するかにより割引率が設置されており、年間累計回数割引１４ｆは、前年度の実績を基にして年間に何度チラシを配布したかで割引率が設定されている。
【００６１】
また、団体割引１４ｇは、加盟店がチェーン店や商店街等で幾つかの店舗が合同でチラシを作成し配布する等の場合に用いられ、店舗数が多いほど、その割引率も高くなる。但しそのスタイルは店舗集団一括使用１４ｄとは異なり、１店舗、１店舗独立のスタイルをしており当選者の数もその店舗の数だけ多くなる。
【００６２】
このように、基本料１４ａ、有効期限１４ｂ、当選発表回数１４ｃ、店舗集団一括使用１４ｄ、月間配布回数割引１４ｅ、年間累計回数割引１４ｆ、団体割引１４ｇにより定められた単価、追加料金、割引サービスを基にした計算式１４ｈによって、広告システム料金が換算される。
【００６３】
但し、チラシの印刷を本部３又は代理店５以外の印刷所に依頼し作成する場合には、システム料金が割増となる。即ち、本部３又は代理店５と加盟店４の間にシステムを利用すると共にチラシの作成も受注するという関係を置くことで、本部３又は代理店５と加盟店４の双方に利益が生まれるような関係を築くことができる。
【００６４】
図８は、本発明である懸賞ナンバー付広告用チラシ等の懸賞当選番号の選定方法をグループ分けを示した図である。Ａグループ１５は、その都度新たな番号を配布するグループであり、チラシ１６、ポケットティッシュ１７、封筒・ハガキ１８、クジ・カード１９等が該当する。
【００６５】
Ｂグループ１５ａは、各商店等で作った各種カードや各種免許証などの既に持っているカード類の番号のグループであり、ポイントカード２０、キャッシュ（クレジット）カード２１、メンバーカード２２、運転免許証２３、お札（紙幣）２４、車のナンバー２５、電話番号２６等が該当する。
【００６６】
Ｃグループ１５ｂは、生まれたときから全員が１つだけ平等に持っている番号（数字）のグループであり、この番号は生年月日２７が該当する。前記生年月日２７は、西暦でも和暦でも良く、また月日の４桁だけを使用しても良い。
【００６７】
Ｄグループ１５ｃは、購入した商品に付いている番号２８や商品等を購入した場合に発行される領収書（レシート）番号２９が該当する。前記、商品に付いている番号２８には、バーコード等のナンバーも含まれる。
【００６８】
懸賞当選番号選定において使用する選定方法は、前記Ａグループ１５からＤグループ１５ｃにグループ分けされた各選定方法を任意に一つ選んで使用しても、またグループ内及びグループ外の異なる２つ以上の選定方法を組み合わせて使用してもよい。例えば、ポイントカード２０と生年月日２７を組み合わせた当選番号としてもよい。
【００６９】
図９は、本発明である懸賞ナンバー付広告用チラシ等の当選ボックスを示した図である。抽選ボックス３０は、配布した番号等が５桁までで０００００〜２９９９９までの３００００枚を配布した場合を例に説明する。
【００７０】
抽選ボックス３０は箱３０ａからなり、箱３０ａは直方体をしている。箱３０ａには蓋がなく、内部に同形同大の４枚の衝立３０ｈ、３０ｈ、３０ｈ、３０ｈが等間隔に設置されており５部屋に分かれている。
【００７１】
前記衝立３０ｈ、３０ｈ、３０ｈ、３０ｈにより分けられた５部屋は、左より万の位３０ｂ、千の位３０ｃ、百の位３０ｄ、十の位３０ｅ、一の位３０ｆを割り当てられており、それぞれの部屋にはトランプ３１、３１、３１、３１、３１が備えられている。使用するトランプの扱いは、箱３０ａの全面に描かれているルール３０ｇにあるように数字の１０は０の扱いとなる。
【００７２】
０００００〜２９９９９までの３００００枚を配布した場合の抽選では、万の位３０ｂに０（１０で代用）、Ａ、２の３枚のトランプを入れ、千の位３０ｃ、百の位３０ｄ、十の位３０ｅ、一の位３０ｆには０（１０で代用）と、Ａ〜９までの１０枚のトランプをそれぞれ入れて使用する。
【００７３】
前記万の位３０ｂに入れるトランプの種類は、配布するチラシ等の番号により任意に増減できる。例えば、０００００〜６９９９９までの７００００枚を配った場合、万の位３０ｂに入れるトランプの種類は、０（１０で代用）とＡ〜６までの計７枚となり、以下千の位３０ｃ、百の位３０ｄ、十の位３０ｅ、一の位３０ｆに入れるトランプの種類は、それぞれ０（１０で代用）とＡ〜９までの計１０枚となる。
【００７４】
図１０は、本発明である懸賞ナンバー付広告用チラシ等の抽選ボックスを示した図である。図１０に示す抽選ボックス３２は、前記図８で示したＣグループ１５ｂの生年月日２７を使用して抽選する場合に用いる抽選ボックスである。
【００７５】
抽選ボックス３２は、同形同大の３種類の箱からなり、それぞれ生まれ年の箱３２ａ、生まれ月の箱３２ｂ、生まれ日の箱３２ｃである。前記、生まれ年の箱３２ａ、生まれ月の箱３２ｂ、生まれ日の箱３２ｃは、上面に孔３３ａの空いた立方体の箱３３である。
【００７６】
前記生まれ年の箱３２ａには、１９００から２００３までの数字か書かれた年のボール３３ｂが入っている。この年のボール３３ｂは、その抽選を行う年までのボールを用意することとする。例えば、２００９年に抽選を行う場合、２００９まで年のボール３３ｂが増えることとなる。
【００７７】
また、前記年のボール３３ｂは、西暦に限定するものではなく、和暦で行っても良いものとする。和暦を使用する場合には、ボール３３ｂを和暦に変え、任意の年数分のボール３３ｂを使用する。
【００７８】
前記生まれ月の箱３２ｂには、１から１２までの数字が書かれた月のボール３３ｃが入っている。即ち、生まれ月を現す１２カ月分のボールである。前記生まれ日の箱３２ｃには、１から３１までの数字が書かれた日のボール３３ｄが入っている。即ち、生まれ日を現す３１日分のボールである。
【００７９】
抽選ボックス３２を使用する生年月日２７の抽選では、生まれ月の箱３２ｂで２月を引いた場合、生まれ日は最高でも１〜２９日までなので、生まれ日の箱３２ｃで３０日、３１日を引いてしまった場合は無効とする。また、閏年以外は２８日までなので、生まれ日の箱３２ｃで２９日を引いた場合は、実際には無い日付となってしまうので、無効とする。閏年の２月２９日は、該当者が少ないが実際にある日付なので、有効とする。
【００８０】
生まれ月の箱３２ｂで４月、６月、９月、１１月を引いた場合、生まれ日は１〜３０日までなので、生まれ日の箱３２ｃで３１日を引いてしまった場合は無効とする。生まれ日の箱３２ｃにおいて無効となった場合は、もう一度生まれ日の箱３２ｃから引き直してもよいし、別途ルールを設けてもよく、特に限定したものではない。
【００８１】
図１１及び図１２は、本発明である懸賞ナンバー付広告用チラシ等の幟を示した図である。図１１は、前述した数種類の選定方法の中で一種類だけ使用して抽選を行う場合に使用する幟を示したものである。
【００８２】
幟３４は、布３４ｃからなり、上部に無料３４ｄの文字が印刷されている。無料３４ｄの下には縦長に伸びた第１枠３４ｅが設けてあり、前記第１枠３４ｅの下には、第２枠３４ｆ、第３枠３４ｇが設けてある。また、幟３４の空白部には、「ラッキーナンバーイベント加盟店」と記載されている。
【００８３】
前記、第１枠３４ｅは、抽選方法が書かれたプレートが入っており、幟３４では、誕生日３５を使用している。また、第２枠３４ｆには、前記第１枠３４ｅで指定された抽選方法の該当部分を示したケタ数が書かれており、幟３４では、下４ケタ３６となっている。第２枠３４ｆで使用する桁数の書かれたプレートは取り替えることができる。
【００８４】
第３枠３４ｇには、前記第１枠３４ｅで示された抽選方法の周期のタイプが書かれたプレートが入っており、幟３４では、毎日タイプ３７となっている。第３枠３４ｇも前記、第１枠３４ｅ、第２枠３４ｆと同様に取り替えることができる。
【００８５】
幟３４ａ、３４ｂは、前記幟３４の第１枠３４ｅ、第２枠３４ｆ、第３枠３４ｇの中身を変えたものである。幟３４ａでは、毎週タイプ３７ａのポイントカード３５ａを使用した抽選を行い、ポイントカードの下６ケタ３６ａを該当部分とすることを示している。
【００８６】
また、幟３４ｂは、毎月タイプ３７ｂのナンバー付チラシ３５ｂを使用した抽選を行い、ナンバー付チラシの下５ケタ３６ｂを該当部分とすることを示している。
【００８７】
図１２は、前述した数種類の選定方法の中で複数組み合わせて抽選を行う場合に使用する幟示したものである。幟３８は、布３８ｃからなり、上部に無料３８ｄの文字が印刷されている。無料３８ｄの下には、縦長に伸びた第４枠３８ｅが設けられており、前記第４枠３８ｅの下には、第５枠３８ｆ、第６枠３８ｇが設けられている。また、幟３８の空白部分には「ラッキーナンバーイベント加盟店」と記載されている。
【００８８】
前記、第４枠３８ｅは、抽選方法が書かれたプレートが数種入っており、幟３８では、壱万円札３９、メンバーカード３９ａ、誕生日３９ｂを使用している。第５枠３８ｆには、前記第４枠３８ｅで指定された抽選方法の該当部分を示した桁数が書かれており、幟３８では、下６ケタ４０となっている。第５枠３８ｆに使用する桁数が書かれたプレートは取り替えることができる。
【００８９】
第６枠３８ｇには、前記第４枠３８ｅで示された抽選方法の周期のタイプが書かれたプレートが入っており、幟３８では、毎月タイプ４１となっている。第６枠３８ｇも、前記第４枠３８ｅ、第５枠３８ｆと同様に取り替えることができる。
【００９０】
幟３８ａ、３８ｂは、前記幟３８の第４枠３８ｅ、第５枠３８ｆ、第６枠３８ｇの中身を変えたものである。幟３８ａでは、毎日タイプ４１ａのポイントカード３９ｃとクレジットカード３９ｄを使用した抽選を行い、前記ポイントカード３９ｃの下４ケタ４０ａと、クレジットカード３９ｄの下５ケタ４０ｂが該当部分となることを示している。
【００９１】
幟３８ｂでは、毎週タイプ４１ｂのナンバー付ティッシュ３９ｅと運転免許証ナンバー３９ｆを使用した抽選を行い、前記ナンバー付ティッシュ３９ｅと運転免許証３９ｆの下３ケタ４０ｃが該当部分となることを示している。
【００９２】
前記幟３４、３４ａ、３４ｂ、３８、３８ａ、３８ｂのデザインは、これに限定されるものではなく、抽選方法を示した第１枠３４ｅ、３８ｅ、該当桁数を示した第２枠、第５枠、３４ｆ、３８ｆ、抽選方法の周期のタイプを示した第３枠、第６枠３４ｇ、３８ｇがプレートの取り替え可能の作りであれば、配置等のデザインは任意に変更できるものとする。
【００９３】
また、前記幟３４、３４ａ、３４ｂ、３８、３８ａ、３８ｂと同様のデザイン及び機能を有する立て看板として利用することで、抽選を行っている商店又は商店街などの地域への案内板として利用することができる。
【００９４】
当選番号の決定の方法は、消費者への公平性、透明性を計るため一番最初の来店者に前記抽選ボックス３０または３２を使用して決定してもらうこととする。例えば、抽選方法が毎日タイプ３７、４１ａの方法となった場合、朝一番に来店されたお客様に前記抽選ボックス３０または３２から抽選してもらいその日の当選番号を決定する。
【００９５】
また、抽選方法が毎週タイプ３７ａ、４１ｂの方法となった場合、月曜日の朝一番に来店されたお客様に前記抽選ボックス３０または３２から抽選してもらいその週の当選番号を決定する。
【００９６】
抽選方法が毎月タイプ３７ｂ、４１の方法となった場合は、月初め１日の朝一番に来店されたお客様に前記抽選ボックス３０または３２から抽選してもらいその月の当選番号を決定する。
【００９７】
前記第３枠３４ｇ、第６枠３８ｇに表示される各周期タイプは、当選番号発表掲示周期を表すと共に、当選賞品の交換有効期限を表すものである。
【００９８】
以上の懸賞ナンバー付広告用チラシ及びその広告システムで予想される集客力を更に強くするために、広告等で抽選を知らせる際に当選候補本数と当選本数を表示する。その際、当選候補本数を当選本数より多く設定する。当選候補本数とは、実際に当選している番号の本数であり、当選本数とは当選し、実際に賞品等を得ることのできる人数のことである。
【００９９】
例えば、１等の当選候補本数を１０本とし、当選本数を１本とした場合、実際に当選している人間は１０人いるが、賞品と交換できる人間は１人しかおらず、当選者の中でも早く交換に来た人間１人だけが賞品を得ることができるのである。即ち、当選候補本数を多く設定し、当選した人の中から先着順で賞品を受けとることができるシステムとすることで、用意した賞品が余ることを避け、尚かつ集客力を上げるシステムとすることが目的である。
【０１００】
当選候補本数と当選本数に差を付けたために、当選していても交換に遅れた場合などは、当然賞品を受けとることができないが、本発明のチラシは、一回きりではないナンバー付きの広告の場合や、その他数字の入ったカード等が抽選対象となっているため、当選しているにもかかわらず賞品と交換できなかったお客様にとっては、次回の抽選には当選本数内に交換に行くという意識が芽生え、更に集客力が強くなる。
【０１０１】
前記当選候補本数及び当選本数については、広告等に記載し、広告を見る人間が当選候補本数の中に該当した番号を持っていたとしても、その中で先着順に賞品をもらうことができ、当選していても遅い場合には貰えないことがあるという認識をさせることが必要である。
【０１０２】
また、本発明である懸賞ナンバー付チラシの余白や裏面には、その地域の商店等の広告や求人広告、お知らせ、商品のＰＲ、地域情報などを載せることで、その広告に記載された懸賞ナンバーの有効期限内であれば、何度もそのチラシに目を通して貰うことができるため、一度のチラシで数回分の広告配布と同様の効果を得ることができ、広告費などの経費削減にもなる。
【０１０３】
【発明の効果】
本発明は、以上に説明したような構成であるから、以下の効果が得られる。第１に、加盟店の店舗内に懸賞当選番号を掲示することによって、広告用チラシ等を手にした消費者は、毎月、毎週、毎日の営業時間中に当選の確認のためにとりあえず店舗内に入る可能性が高いため集客する効果が向上すると共に、入店者の一部の人が若干でも商品等を買ってくれるという、売上二次効果も期待できる。
【０１０４】
第２に、消費者がそのチラシを懸賞ナンバー有効期限まで長く持っているためチラシの内容をすみずみまで見てくれる確立が高く、期間中は大切に保管され、また有効期限を延ばすことで１枚のチラシで何ヶ月でも消費者が来店される可能性があり、チラシの配布回数を減らすことができると共に経費の節減にもなる。
【０１０５】
第３に、懸賞ナンバー付チラシは新聞折り込み以外に、街角で配っても広告の効果が十分あり、ポイ捨ての可能性も低くゴミにならない上に、顧客の新規開拓にも繋がる。
【０１０６】
第４に、懸賞ナンバー付チラシなどの広告物を配布しなくても持っている各種カードや運転免許証等及び誰もが持っている生年月日を懸賞ナンバーの対象とすることで、印刷料、新聞折込料などの広告料をかけずに、集客をすることができる。
【０１０７】
第５に、懸賞ナンバー付きチラシの余白や裏面などにお店などの広告・求人・お知らせ・賞品ＰＲ・地域情報等を載せた場合、懸賞ナンバーの有効期限が切れるまではチラシを手元に置かれやすくなり、何度もチラシを見てもらえるようになるため広告回数を減らし少ない広告料で効果の高いチラシとなる。
【図面の簡単な説明】
【図１】本発明である懸賞ナンバー付広告用チラシ及びその広告システムの広告システムの全体の流れを示す図である。
【図２】本発明である懸賞ナンバー付広告用チラシ及びその広告システムの他の広告システムの全体の流れを示した図である。
【図３】本発明である懸賞ナンバー付広告用チラシ及びその広告システムに用いる懸賞ナンバー付広告用チラシを示した図である。
【図４】本発明である懸賞ナンバー付広告用チラシ及びその広告システムにより店舗内に掲示する書面を示した図である。
【図５】本発明である懸賞ナンバー付広告用チラシ及びその広告システムに用いる広告用チラシの他の実施例を示した図である。
【図６】本発明である懸賞ナンバー付広告用チラシ及びその広告システムに用いる広告用チラシの他の実施例のご来店者全員クジカードを示した図である。
【図７】本発明である懸賞ナンバー付広告用チラシ及びその広告システムの使用料金表である。
【図８】本発明である懸賞ナンバー付広告用チラシ等の懸賞選定方法をグループ分けを示した図である。
【図９】本発明である懸賞ナンバー付広告用チラシ等の抽選ボックスを示した図である。
【図１０】本発明である懸賞ナンバー付広告用チラシ等の抽選ボックスを示した図である。
【図１１】本発明である懸賞ナンバー付広告用チラシ等の幟を示した図である。
【図１２】本発明である懸賞ナンバー付広告用チラシ等の幟を示した図である。
【符号の説明】
１          懸賞ナンバー付広告用チラシ及びその広告システム
１ａ        懸賞ナンバー付広告用チラシ及びその広告システム
２          権利者（特許権者）
３          本部（広告会社）
３ａ        加盟店契約
３ｂ        代理店契約
４          加盟店
５          代理店
５ａ        加盟店契約
６          広告用チラシ
６ａ        広告欄
６ｂ        広告欄
６ｃ        加盟店表示欄
７          懸賞ナンバー欄
７ａ        懸賞ナンバー
８          当選賞品紹介欄
８ａ        有効期限
８ｂ        禁止文言記載欄
８ｃ        広告システム情報記載欄
９          店舗内掲示
９ａ        当選賞品
９ｂ        当選番号
９ｃ        注意書き記載欄
９ｄ        得々情報
１０          クジ付広告用チラシ
１０ａ        広告欄
１０ｂ        広告欄
１０ｃ        加盟店記載欄
１１          特典紹介欄
１１ａ        賞品紹介欄
１１ｂ        禁止文言記載欄
１１ｃ        広告システム情報記載欄
１２          ご来店者全員クジカード
１２ａ        表面
１２ｂ        背面
１２ｃ        スタンプ欄
１３          スタンプ
１４          懸賞ナンバー付広告システム料金表
１４ａ        基本料
１４ｂ        有効期限
１４ｃ        当選発表回数
１４ｄ        店舗集団一括使用
１４ｅ        月間配布回数割引
１４ｆ        年間累計回数割引
１４ｇ        団体割引
１４ｈ        計算式
１５          Ａグループ
１５ａ        Ｂグループ
１５ｂ        Ｃグループ
１５ｃ        Ｄグループ
１６          チラシ
１７          ポケットティッシュ
１８          封筒・ハガキ
１９          クジ・カード
２０          ポイントカード
２１          キャッシュ（クレジット）カード
２２          メンバーカード
２３          運転免許証
２４          お札（紙幣）
２５          車のナンバー
２６          電話番号
２７          生年月日
２８          商品に付いている番号
２９          領収書（レシート）番号
３０          抽選ボックス
３０ａ        箱
３０ｂ        万の位
３０ｃ        千の位
３０ｄ        百の位
３０ｅ        十の位
３０ｆ        一の位
３０ｇ        ルール
３１          トランプ
３２          抽選ボックス
３２ａ        生まれ年の箱
３２ｂ        生まれ月の箱
３２ｃ        生まれ日の箱
３３          箱
３３ａ        孔
３３ｂ        年のボール
３３ｃ        月のボール
３３ｄ        日のボール
３４          幟
３４ａ        幟
３４ｂ        幟
３４ｃ        布
３４ｄ        無料
３４ｅ        第１枠
３４ｆ        第２枠
３４ｇ        第３枠
３５          誕生日
３５ａ        ポイントカード
３５ｂ        ナンバー付チラシ
３６          下４ケタ
３６ａ        下６ケタ
３６ｂ        下５ケタ
３７          毎日タイプ
３７ａ        毎週タイプ
３７ｂ        毎月タイプ
３８          幟
３８ａ        幟
３８ｂ        幟
３８ｃ        布
３８ｄ        無料
３８ｅ        第４枠
３８ｆ        第５枠
３８ｇ        第６枠
３９          壱万円札
３９ａ        メンバーカード
３９ｂ        誕生日
３９ｃ        ポイントカード
３９ｄ        クレジットカード
３９ｅ        ナンバー付ティッシュ
３９ｆ        運転免許証ナンバー
４０          下６ケタ
４０ａ        下４ケタ
４０ｂ        下５ケタ
４０ｃ        下３ケタ
４１          毎月タイプ
４１ａ        毎日タイプ
４１ｂ        毎週タイプ
【図１】
2004163845.tif 000003
【図２】
2004163845.tif 000004
【図３】
2004163845.tif 000005
【図４】
2004163845.tif 000006
【図５】
2004163845.tif 000007
【図６】
2004163845.tif 000008
【図７】
2004163845.tif 000009
【図８】
2004163845.tif 000010
【図９】
2004163845.tif 000011
【図１０】
2004163845.tif 000012
【図１１】
2004163845.tif 000013
【図１２】
2004163845.tif 000014